(57)【要約】【課題】緊急警報放送を行うと該当放送地域で、緊急警報受信機能を持つテレビ受信機の電源が同時にオンとなり、受信機が多数普及した場合には該当地域での消費電力が極端に大きくなる問題を解消させる緊急警報放送受信システムを提供することを目的とする。【解決手段】緊急警報放送を受信する機能を持つテレビ受信機１２７と緊急状況であることを明示する警告手段１３１とを備え、放送局の緊急警報放送起動フラッグ信号に同期して警告状態を示す制御信号を前記テレビ受信機の出力端子１３０より前記警告手段１３１に伝送接続し緊急警報放送時に警告表示させる。【選択図】図１
2006270138.tif 000002
【特許請求の範囲】
【請求項１】
緊急警報放送を受信する機能を持つデジタルテレビ受信機と緊急状況であることを明示する警告手段とからなり、放送局の緊急警報放送起動フラッグ信号に同期して警告状態を示す制御信号を前記デジタルテレビ受信機の出力端子より前記警告手段にケーブルまたは無線手段で前記制御信号を伝送接続し緊急警報放送時に警告表示させるように構成されたことを特徴とする緊急警報放送受信システム。
【請求項２】
前記デジタルテレビ受信機が録画機を動作させるリモコン信号を送出するＩＲ送出部をもち、前記制御信号に緊急放送コマンドとして前記リモコン信号を割り当て、前記ＩＲ送出部の信号を２分配接続した状態で、通常放送時は必要に応じ前記リモコン信号の指示で録画機に番組を録画させる動作をさせ、前記緊急放送コマンドを受信したときのみ前記警告手段が動作することを特徴とする請求項1に記載の緊急警報放送受信システム。
【請求項３】
衛星デジタル放送をＱＡＭ方式の変調方式に変換して再送信し、加えて、地上デジタル放送をＯＦＤＭ方式で伝送するケーブルサービス網において、前記デジタルテレビ受信機に前記両者の方式の受信機能を持たせ、少なくとも緊急警報放送を行わない放送局を視聴中に、視聴していない方式の復調器を動作させ、緊急警報放送を行う放送局の緊急警報放送起動フラッグ信号を前記復調器で監視することを特徴とする請求項１または請求項２に記載の緊急警報受信システム
【請求項４】
前記制御信号に、前記緊急放送コマンドと異なる試験状態を示す試験コマンドを割り当て、前記警告手段が試験告知と緊急警報放送の警告が区分できる機能を持ち、放送局より緊急警報放送起動フラッグが送出され、前記復調出力のＴＳ信号の緊急情報記述子に試験信号であることが示されている場合に、デジタルテレビ受信機が前記試験コマンドを送出することを特徴とする請求項１または請求項２または請求項３の緊急警報受信システム。
【発明の詳細な説明】
【技術分野】
【０００１】
本発明は、デジタル放送における緊急警報放送の受信システムに関するものである。
【背景技術】
【０００２】
従来の緊急警報放送受信システムに類するものとしては、例えば、緊急警報放送を検知した際に、表示装置としてのテレビ受信機の電源を起動させ視聴者に通知している（例えば、特許文献１参照。）。図５は、前記特許文献１に記載された従来の緊急警報放送受信システムを示すものである。
【０００３】
図５において、衛星受信アンテナ１０１は衛星放送電波を受信し、常時通電されたチューナ１０２と復調部１０３およびコントローラ１０４と緊急警報放送検出部１１５により緊急警報放送を監視検知する。緊急警報放送を検知した際には、テレビ受信機１０５の電源１１４をオンさせるべく、ＢＳデジタル受信機１０６に備えられたＩＲ（赤外線）送信部１０７より、テレビ受信機１０５の電源１１４をオンするリモコン信号を送出させ、視聴者にテレビ画面を通じて緊急警報情報を伝達するものである。なお、前記ＢＳデジタル受信機１０６は、デジタル情報を分離するＴＳデコーダ１０９と音声デコーダ１１０と映像デコーダ１１１およびコントローラ１０４からの情報をオンスクリーン表示する表示処理１１２などからなる。
【０００４】
なお、テレビを視聴しないときには、電源１１７より緊急警報放送を検出に最小限必要な回路に通電し、メモリー１１６で設定された放送局をチューナ１０２で選局されている。
【０００５】
また、緊急警報放送を受信可能とした特許文献２に記載された緊急放送受信システムでは、ＩＥＥＥ１３９４のアイソクロナンス転送または非同期転送により、視聴者にモニターにて、緊急警報放送を視聴させることを実現している。図６は、前記特許文献２に記載された従来の緊急警報放送受信システムを示すものである。
【０００６】
図６において、ＢＳデジタル受信機よりなる緊急放送受信機１２０が緊急警報放送を検知したときに、ＩＥＥＥ１３９４のシリアルバス１２１で一筆書きに接続されたデジタルＴＶ１、デジタルＴＶ２、デジタルＴＶ３、からなる複数のデジタルテレビ１２２に緊急警報放送を再伝送することにより通知し視聴させている。
【０００７】
また、緊急警報放送の通知をテレビ受信機によらない方法として、受信機に内蔵されたブザーを用いる事例もある。（特許文献３参照）
【特許文献１】特開２００４−２３５９１号公報
【特許文献２】特開２００２−２６８３３号公報
【特許文献３】特開２００２−７７８４７号公報
【発明の開示】
【発明が解決しようとする課題】
【０００８】
しかしながら、文献１に示された図５に示す前記従来のＢＳデジタル受信機１０６の構成では、緊急警報放送を行うとこのような機能を持つテレビ受信機の電源が、該当放送地域で同時にオンとなり、多数の緊急放送対応の受信機が普及した場合には、該当地域での消費電力が極端に大きくなる問題を生じることになる。
【０００９】
一方、ＢＳデジタル放送を含むデジタル放送では、ＴＭＣＣ（Ｔｒａｎｓｍｉｓｓｉｏｎ  ＆  Ｍｕｌｔｉｐｌｅｘｉｎｇ  Ｃｏｎｆｉｇｕｒａｔｉｏｎ  Ｃｏｎｔｒｏｌ）に特別な起動ビットを割り当てられており、受信機の復調部だけが常時通電していればこのビットを常時監視することができ、緊急警報放送時に受信機を自動起動できるが、前記消費電力の課題もあり受信機の必須機能にはなっていない。
【００１０】
例えば、テレビ受信機の消費電力を３００Ｗとし待機状態の緊急警報受信機が３００0万世帯に普及したとすると、地震もしくは津波発生の警戒で運用された場合、３００Ｗ  ｘ  ３０００万  ＝３００万ｋＷ  の大規模な発電所に相当する電力を必要とし、新たに電力の送電問題を発生させる課題がある。
【００１１】
また、人がいないところで多くのテレビがオンされ、警報時の異常な状態で、通電状態のテレビセットが転倒や火災など２次災害の恐れもあった。
【００１２】
一方、特許文献２に示された図６における緊急警報受信システムでは、ＩＥＥＥ１３９４規格のシリアルバス端子を関連する機器に装備させる必要があり、図６に示すシステムを普及させるには一般的な機器よりも割高な機能を持った機器を購入せざるを得なかった。さらに、視聴者が持っているテレビを使用続ける場合が多く、また、新規テレビを購入に際しても、めったに放送されない緊急警報放送の機能が価格上昇になる受信機であれば購入されない実態があった。
【００１３】
すなわち、緊急警報放送受信の機能を持つ受信機を価格アップすることなく、視聴者に緊急放送を確実に告知し、必要とするテレビのみ電源を入れて警報情報を伝達することは困難であった。
【００１４】
また、特許文献３に記載された受信機に内蔵されたブザーでは、音量が不足する場合や、聴覚障害を持つ使用者にとって別の告知手段が必要である。そして、ブザー自体がコストアップ要因となり緊急警報受信機を必要としない受信機所有者に余分な費用負担を強いることになる。
【００１５】
本発明は、前記従来の課題を解決するもので、設置環境に応じて適切に緊急警報放送が行われていることを伝え、必要に応じて確実に放送を視聴さる緊急警報受信システムを提供することを目的とする。
【課題を解決するための手段】
【００１６】
前記従来の課題を解決するために、本発明の緊急警報受信システムは、緊急警報放送を受信する機能を持つテレビ受信機と緊急状況であることを明示する警告手段とを備え、放送局の緊急警報放送起動フラッグ信号に同期して警告状態を示す制御信号を前記テレビ受信機の出力端子より前記警告手段にケーブルまたは無線手段で前記制御信号を伝送接続し緊急警報放送時に警告表示させることにより、緊急警報受信システムを構成している。
【００１７】
本構成によって、視聴手段であるテレビ受信機の主要部に通電する必要が無く、小電力で動作する警告手段で緊急警報放送を知らせることができる。
【００１８】
また、本発明の緊急警報受信システムは、前記テレビ受信機がＶＣＲ（ビデオデコーダ）やＤＶＤなどの録画機を動作させるリモコン信号を送出するＩＲ送出部をもち、前記制御信号を前記リモコン信号の緊急放送コマンドとして割り当て、前記ＩＲ送出部の信号を２分配接続した状態で、通常放送時は録画機を動作させ、前記緊急放送コマンドを受信したときのみ警告手段を動作させる構成をしている。すなわち、本構成では従来から備わっている受信機機能で緊急放送受信機を構成している。
【００１９】
さらに、本発明の緊急警報受信システムは、衛星デジタル放送をＱＡＭ方式で再送信し、加えて、地上デジタル放送をＯＦＤＭ方式で伝送するケーブルサービス網の受信において、デジタルテレビ受信機に前記両者の方式の受信機能を持たせ、視聴していない方式の復調器を動作させ、緊急警報放送を行う放送局の緊急警報放送起動フラッグ信号を監視することにより、緊急警報放送を行わない放送局を視聴中にも、緊急警報放送を検知させようとしたものである。
【００２０】
なお、本発明の緊急警報受信システムは、放送局より緊急警報放送起動フラッグが送出され、緊急情報記述子に試験信号であることが示されている場合に、前記制御信号に試験状態を示す試験コマンドを割り当て、試験警告と緊急警報放送が区分できる警告手段を用いて、試験放送時には試験であることを視聴者に知らせることもできる。
【発明の効果】
【００２１】
本発明の緊急警報受信システムによれば、テレビ受信機の主要部に通電することなく緊急警報放送が行われていることを視聴者に伝えることができ、必要に応じ緊急警報放送を受信し視聴してもらうことができる。また、無人の場合、テレビ受信機が自動的にオンされること無く、安全であり不必要な電力消費をすることはない。
【００２２】
また、緊急警報受信機は特別な専用機能または部品もしくは端子を備える必要が無く、一般普及機として、コントローラのメモリーにプログラムの追加することで安価に実現できる。
【００２３】
さらに、ケーブル網を通じた視聴者には、警告実施する機会を失うことを減らすことができ、緊急状態を知らせる信頼性ある緊急警報受信システムを実現できる。
【発明を実施するための最良の形態】
【００２４】
以下本発明を実施するための最良の形態について、図面を参照しながら説明する。
（実施の形態１）
図１は、本発明の実施の形態１における緊急警報受信システムの構成図である。図１において、従来例の図６と同じ構成要素については、同じ符号を用い説明を省略する。
【００２５】
図1において、衛星受信アンテナ１０１で受信された衛星デジタル放送または地上デジタル放送またはケーブルサービスが、デジタルテレビ受信機１２７に入力されチューナ１２８で選局される。さらに選局された信号は、送られてきた信号の変調方式に応じた復調ができる復調器１２９でデジタルのビット列であるＴＳ（トランスポートストリーム）信号となる。
【００２６】
緊急警報放送の実施を監視するには、放送信号の規格として緊急警報放送の起動情報がデジタル放送では復調情報であるＴＭＣＣ信号の送受信制御情報の１ビット目に起動フラッグ信号として割り当てられている（ＡＲＩＢ規格  ＴＲ−Ｂ１５）ので、このビットを見ればよい。すなわち、視聴者がテレビを視聴していないときには、少なくとも、緊急警報受信機能を持つデジタルテレビ受信機１２７のマイクロプロセッサーよりなるコントローラ１０４と前記チューナ１２８と復調部１２９を通電しておれば、緊急警報放送を常時検知できる。
【００２７】
そして、検出された緊急警報放送起動フラッグ信号に同期して警告状態を示す制御信号を前記デジタルテレビ受信機１２７の出力端子１３０よりに接続ケーブル１３２を介して警告手段１３１に伝送接続し、緊急警報放送時には、緊急状況であることを明示する警告手段１３１を表示させる。
【００２８】
とくに、警告手段１３１は光によるもの、音によるもの、機構制御によるものなど小電力で動作する多様な手段があり、使われる環境に応じて選択することができる。図１では表示灯による実施例を示している。なお、テレビ受信機１３３は緊急警報放送受信機であるデジタルテレビ受信機１２７よりのＡＶ信号（音声と映像信号）を必要に応じ視聴するために用いられる。また、地上放送テレビアンテナ１２５は地上デジタル放送を受信し、ケーブルサービス網１２６はケーブルサービス（ＣＡＴＶ）の番組を送出している。
【００２９】
かかる構成によれば、緊急警報放送を受信する機能を持つデジタルテレビ受信機１２７と緊急状況であることを明示する警告手段１３１が接続されていることにより、視聴手段である表示モニター部を持つ大きな消費電力のテレビ受信機１３３を通電する必要が無く、視聴者に緊急警報放送を告知でき、また、緊急警報受信機能を持つデジタルテレビ受信機１２７を最小限の電力で動作させ、緊急警報放送が行われていることを前記警告手段１３１で視聴者に伝えることができる。
【００３０】
そして、視聴者はテレビ受信機１３３の電源を必要に応じてオンとし緊急警報放送を視聴することができる。また、無人の場合、テレビ受信機１３３が自動にオンされること無く、安全であり不必要な電力消費をすることはない。
【００３１】
なお、前記制御信号を接続ケーブル１３２により伝送したが、これは無線手段に置き換えることで、警告手段１３１の設置自由度を向上することも容易である。
（実施の形態２）
図２は、本発明の実施の形態２における緊急警報受信システムの構成図である。図２において、図１および図５と同じ構成要素については、同じ符号を用い説明を省略する。
【００３２】
図２において、緊急警報放送受信機能を持つデジタルテレビ１２７は、ＶＣＲ（ビデオレコーダ）やＤＶＤなどの録画機１３４を動作させるリモコン信号発生部１３５をもち、接続されたＩＲ送出部１３６より赤外線のリモコン信号１３９を送出する。この機能は通常販売されている普及型デジタルテレビ受信機に一般的に付属されており、通常の放送番組の録画予約に使用されている。
【００３３】
ここで、緊急警報放送に同期した前記制御信号として、前記リモコン信号１３９の一つとして緊急放送コマンドを割り当て、前記ＩＲ発生部１３５の信号を分配器１３７により２分配接続した状態で、分配された片方の信号を前記警告手段１３１に接続し、前記緊急放送コマンドを受信したときのみ前記警告手段を動作させている。
【００３４】
なお、リモコン信号は通常オン／オフよりなるビット列で構成されており、機器種類、メーカー、機能動作等が重複しない多くのコードがあり、数多くの中からコマンドを新たに割り当てることは容易である。また、録画機１３４を動作させるリモコン信号１３９のコマンドと緊急放送コマンドは異なる割り当てなので、分配器１３７は単純な構成部品で、複数の録画機を動作させるのに既に市販されている安価なものが使用できる。
【００３５】
かかる構成によれば、通常は、放送テレビ番組を録画のためにＩＲ送出部１３６の信号で録画機１３４を動作させることができ、前記緊急放送コマンドを受信したときのみ警告手段１３１を動作させることができ、特別な専用機能または部品もしくは端子を備える必要が無く、一般普及機として従来から備わっているデジタルテレビ受信機機能と、コントローラ１０４によるリモコンコマンド発行のプログラムの追加のみで安価に緊急警報受信システムを実現できる。
（実施の形態３）
図３は、本発明の実施の形態３における緊急警報受信システムの構成図である。図３において、図１および図２と同じ構成要素については、同じ符号を用い説明を省略する。
【００３６】
図３において、デジタル放送を伝送しているケーブルサービス網１２６に接続されたデジタルテレビ受信機１４０は、ＯＦＤＭ変調で送信される地上デジタル放送をＯＦＤＭ復調する第一の信号系統１４２と変調方式の異なるＱＡＭ方式で送信された信号をＱＡＭ復調する第二の信号系統１４４との２系統の入力を備えている。第一の信号系統１４２はチューナ１２８とＯＦＤＭ復調部１４１からなり、第二の信号系統１４４はチューナ１３８とＱＡＭ復調部１４３よりなる。
【００３７】
ケーブルサービス網１２６では自主番組や通信衛星よりの再送信番組で緊急警報放送を実施しない放送局がＱＡＭ方式の多く送信されている。そこで、ここでは少なくとも緊急警報放送を行わない放送局を視聴中に、視聴していない方式の復調器も動作させ、緊急警報放送を行う放送局の緊急警報放送起動フラッグ信号をコントローラ１０４で検知させる構成としている。たとえば、ＱＡＭ方式で送られてくる番組を視聴中にＯＦＤＭ復調部１４１によりＴＭＣＣの緊急警報放送の起動ビットをコントローラ１０４で監視し、番組視聴中に起動ビットを検出すれば、ＩＲ発生部１３５より割り当てられた緊急放送コマンド送出し、前記警告手段１３１に伝達し前記警告手段を動作させ視聴者に告知する。
【００３８】
かかる構成によれば、緊急警報放送を行わない放送局を視聴中にも緊急警報放送を監視することができ、ケーブルサービス網を通じた視聴者に警告実施機会を失うことを減らすことができ、緊急状態を知らせる信頼性あるシステムを実現できる。
【００３９】
（実施の形態４）
図４は、本発明の実施の形態４における緊急警報受信システムの構成図である。図４において、図１および図２または図３と同じ構成要素については、同じ符号を用い説明を省略する。
【００４０】
図４において、デジタルテレビ受信機１２７は、緊急警報放送起動フラッグが送出されたデジタル放送を受信した場合に、復調部１２９以降のＴＳデコーダ１４５を動作させ、さらに復調されたＴＳ信号より詳細な情報を取り出させ、その情報に基づき異なる表示状態で前記詳細な情報に応じた表示が可能な警告手段１４６より構成されている。
【００４１】
緊急警報放送実施時には放送局は、ＴＭＣＣ情報に緊急警報放送起動フラッグを送出するだけでなく、緊急情報記述子にｓｔａｒｔ  ｅｎｄ  ｆｌａｇ、１種／２種種別、地域符号も送られることが運用（ＡＲＩＢ規格  ＴＲ−Ｂ１５）で決められている。前記緊急情報記述子を取得するには、復調器１２９以降のＴＳデコーダ部１４５も動作させ、ＴＳ信号より緊急情報記述子を読み出し、記載されたデータから必要情報を取り出すことができる。
【００４２】
警告手段１４６は、表示種類に応じて制御信号すなわちリモコンコマンドの種類を準備することで、前記緊急情報記述子の状況に応じた警報表示が可能となる構成とする。
【００４３】
かかる構成によれば、たとえば、ｓｔａｒｔ  ｅｎｄ  ｆｌａｇが０のとき試験信号であることが決められているので、前記制御信号に試験状態を示す試験コマンドを割り当て、試験警告と緊急警報放送とを状況区分できる警告手段１４６で視聴者に的確な情報を伝達することができる。さらに、地域符号などの受信情報の組み合わせで多様な情報伝達手段として拡張できる。
【００４４】
なお、状況区分できる前記警告手段１４６の表示種類の具体例として、表示色を変える例、表示位置を変える例、音声表示を伴わせる例など様々な手法があり設置環境に応じて選択することができる。また、視聴者は予め決められた表示状態を検知することで、必要に応じテレビ受信機の電源をオンすることができる。
【産業上の利用可能性】
【００４５】
本発明にかかる緊急警報受信システムは、テレビ受信機の主要部に通電することなく緊急警報放送が行われていることを視聴者に伝えることができ、また、無人の場合に不必要な電力消費をすることない普及型の受信機を実現することができ、緊急警報放送の受信システムとして有用である。
【図面の簡単な説明】
【００４６】
【図１】本発明の実施の形態１における緊急警報受信システムの構成図
【図２】本発明の実施の形態２における緊急警報受信システムの構成図
【図３】本発明の実施の形態３における緊急警報受信システムの構成図
【図４】本発明の実施の形態４における緊急警報受信システムの構成図
【図５】従来の緊急警報受信システムの構成図
【図６】従来の緊急警報受信システムの構成図
【符号の説明】
【００４７】
１０１    衛星受信アンテナ
１０２    チューナ
１０３    復調部
１０４    コントローラ
１０５    テレビ受信機
１０６    ＢＳデジタル受信機
１０７    ＩＲ送信部
１０９    ＴＳデコーダ
１１０    音声デコーダ
１１１    映像デコーダ  
１１２    表示処理
１１３    ＴＳデコーダ
１１４    電源部
１１５    テレビ受信機
１１６    メモリー
１１７    電源部
１２０    緊急放送受信機
１２１    ＩＥＥＥ１３９４規格のシリアルバス
１２２    テレビ受信機
１２５    地上放送テレビアンテナ
１２６    ケーブルサービス網
１２７    デジタルテレビ受信機
１２８    チューナ
１２９    復調器
１３０    出力端子
１３１    警告手段
１３２    接続ケーブル
１３３    テレビ受信機
１３４    録画器
１３５    リモコン信号発生部
１３６    ＩＲ送出部
１３７    分配器
１３８    チューナ
１３９    リモコン信号
１４０    デジタルテレビ受信機
１４１    ＯＦＤＭ復調部
１４２    ＯＦＤＭ復調部系
１４３    ＱＡＭ復調部
１４４    ＱＡＭ復調部系
１４５    ＴＳデコーダ
１４６    警告手段
【図１】
2006270138.tif 000003
【図２】
2006270138.tif 000004
【図３】
2006270138.tif 000005
【図４】
2006270138.tif 000006
【図５】
2006270138.tif 000007
【図６】
2006270138.tif 000008